(57)【要約】【課題】ユーザーの操作負担を低減することができる表示装置、表示装置の制御方法および表示システムを提供する。【解決手段】表示面に画像を表示する表示部と、指示体が指示する前記表示面上の位置を検出する検出部と、前記検出部の検出位置に基づく画像を前記表示部に表示させる制御部と、を有し、前記制御部は、第１画像と、第１属性および第２属性の設定が前記第１画像と異なる第２画像とを前記表示部に表示させ、前記第１画像または前記第２画像に対する操作に応じて、前記検出部の検出位置に基づく画像に用いる前記第１属性および前記第２属性の設定を決定する、表示装置。【選択図】図１
2020067908.tif 000002
【特許請求の範囲】
【請求項１】
表示面に画像を表示する表示部と、
指示体が指示する前記表示面上の位置を検出する検出部と、
前記検出部の検出位置に基づく画像を前記表示部に表示させる制御部と、を有し、
前記制御部は、
第１画像と、第１属性および第２属性の設定が前記第１画像と異なる第２画像とを前記表示部に表示させ、
前記第１画像または前記第２画像に対する操作に応じて、前記検出部の検出位置に基づく画像に用いる前記第１属性および前記第２属性の設定を決定する、
表示装置。
【請求項２】
前記第１属性または前記第２属性は、色、太さまたは線種である、
請求項１に記載の表示装置。
【請求項３】
前記第１属性は、色であり、
前記第２属性は、太さである、
請求項２に記載の表示装置。
【請求項４】
前記第１属性は、形状であり、
前記第２属性は、色、太さまたは線種である、
請求項２に記載の表示装置。
【請求項５】
前記制御部は、外部装置からの画像情報に基づく画像に重ねて前記第１画像および前記第２画像を前記表示部に表示させる、
請求項１ないし４のいずれか１項に記載の表示装置。
【請求項６】
前記検出部の検出位置に基づく画像の属性に関する履歴情報を記憶する記憶部を有し、
前記制御部は、前記履歴情報に基づいて、前記第１画像または前記第２画像に用いる前記第１属性または前記第２属性の設定を決定する、
請求項１ないし５のいずれか１項に記載の表示装置。
【請求項７】
前記制御部は、
前記検出部の検出位置に基づく画像の表示に関する操作を受け付け可能な操作画像を前記表示部に表示させ、
前記操作画像に対する操作に基づいて、前記第１画像および前記第２画像を前記表示部に表示させる、
請求項１ないし６のいずれか１項に記載の表示装置。
【請求項８】
前記制御部は、
前記第１属性および前記第２属性の一方または両方の設定が前記第１画像および前記第２画像のいずれとも異なる第３画像と、前記第１属性および前記第２属性の一方または両方の設定が前記第１画像、前記第２画像および前記第３画像のいずれとも異なる第４画像とを前記表示部に表示させ、
前記第３画像または前記第４画像に対する操作に応じて、前記検出部の検出位置に基づく画像に用いる前記第１属性および前記第２属性の設定を決定する、
請求項１ないし７のいずれか１項に記載の表示装置。
【請求項９】
前記第３画像の前記第１属性の設定が前記第２画像と同じであり、
前記第３画像の前記第２属性の設定が前記第１画像と同じであり、
前記第４画像の前記第１属性の設定が前記第１画像と同じであり、
前記第４画像の前記第２属性の設定が前記第２画像と同じである、
請求項８に記載の表示装置。
【請求項１０】
前記第１画像、前記第２画像、前記第３画像および前記第４画像は、前記表示面に並んで配置され、
前記第１画像および前記第３画像は、前記第２画像および前記第４画像が並ぶ方向に沿って並んで配置される、
請求項７または８に記載の表示装置。
【請求項１１】
表示面に画像を表示する表示部と、指示体が指示する前記表示面上の位置を検出する検出部と、を有し、前記検出部の検出位置に基づく画像を前記表示部に表示させる表示装置の制御方法であって、
第１画像と、第１属性および第２属性の設定が前記第１画像と異なる第２画像とを前記表示部に表示させ、
前記第１画像または前記第２画像に対する操作に応じて、前記検出部の検出位置に基づく画像に用いる前記第１属性および前記第２属性の設定を決定する、
表示装置の制御方法。
【請求項１２】
表示面に画像を表示する表示部と、
指示体が指示する前記表示面上の位置を検出する検出部と、
前記検出部の検出位置に基づく画像を前記表示部に表示させる制御部と、を有し、
前記制御部は、
第１画像と、第１属性および第２属性の設定が前記第１画像と異なる第２画像とを前記表示部に表示させ、
前記第１画像または前記第２画像に対する操作に応じて、前記検出部の検出位置に基づく画像に用いる前記第１属性および前記第２属性の設定を決定する、
表示システム。
【発明の詳細な説明】
【技術分野】
【０００１】
本発明は、表示装置、表示装置の制御方法および表示システムに関する。
【背景技術】
【０００２】
スクリーン等の表示面に対するペンツールまたは利用者の指等の指示体による操作を受け付けて当該表示面に描画を行う表示装置が知られている。例えば、特許文献１に記載の装置は、ペンによる落書きが可能な落書き入力モードが選択されたとき、ペン入力ストロークに沿って線を描画する描画領域と、ペン入力のための各種設定を行なうための設定領域とを表示する。ここで、設定領域には、描画する線の種類、色および太さ等を指定するための各指定枠が用意される。そして、各指定枠における指定がペンにより行われると、確認画像が描画領域に表示される。
【先行技術文献】
【特許文献】
【０００３】
【特許文献１】特開２０１３−２４６７５０号公報
【発明の概要】
【発明が解決しようとする課題】
【０００４】
しかし、特許文献１に記載の装置では、設定のための指定枠が属性ごとに独立して表示されるため、設定を要する属性の数が多くなるに従い、操作の数が多くなり、利用者の操作負荷が大きくなるという課題がある。
【課題を解決するための手段】
【０００５】
以上の課題を解決するため、本発明に係る表示装置の一態様は、表示面に画像を表示する表示部と、指示体が指示する前記表示面上の位置を検出する検出部と、前記検出部の検出位置に基づく画像を前記表示部に表示させる制御部と、を有し、前記制御部は、第１画像と、第１属性および第２属性の設定が前記第１画像と異なる第２画像とを前記表示部に表示させ、前記第１画像または前記第２画像に対する操作に応じて、前記検出部の検出位置に基づく画像に用いる前記第１属性および前記第２属性の設定を決定する。
【０００６】
本発明に係る表示方法の一態様は、表示面に画像を表示する表示部と、指示体が指示する前記表示面上の位置を検出する検出部と、を有し、前記検出部の検出位置に基づく画像を前記表示部に表示させる表示装置の制御方法であって、第１画像と、第１属性および第２属性の設定が前記第１画像と異なる第２画像とを前記表示部に表示させ、前記第１画像または前記第２画像に対する操作に応じて、前記検出部の検出位置に基づく画像に用いる前記第１属性および前記第２属性の設定を決定する。
【０００７】
本発明に係る表示システムの一態様は、表示面に画像を表示する表示部と、指示体が指示する前記表示面上の位置を検出する検出部と、前記検出部の検出位置に基づく画像を前記表示部に表示させる制御部と、を有し、前記制御部は、第１画像と、第１属性および第２属性の設定が前記第１画像と異なる第２画像とを前記表示部に表示させ、前記第１画像または前記第２画像に対する操作に応じて、前記検出部の検出位置に基づく画像に用いる前記第１属性および前記第２属性の設定を決定する。
【図面の簡単な説明】
【０００８】
【図１】実施形態に係る表示システムを示す斜視図である。
【図２】実施形態に係る表示装置の構成を示すブロック図である。
【図３】描画モード実行時における表示を例示する図である。
【図４】描画に用いる属性を例示する図である。
【図５】サンプル表示を例示する図である。
【図６】サンプル表示を例示する図である。
【図７】サンプル表示を例示する図である。
【図８】サンプル表示を例示する図である。
【図９】サンプル表示を例示する図である。
【図１０】表示装置の描画モード実行時の動作の一例を示すフローチャートである。
【発明を実施するための形態】
【０００９】
以下、添付図面を参照しながら本発明に係る好適な実施形態を説明する。なお、図面において各部の寸法および縮尺は実際と適宜異なり、理解を容易にするために模式的に示す部分もある。また、本発明の範囲は、以下の説明において特に本発明を限定する旨の記載がない限り、これらの形態に限られない。
【００１０】
１．表示システムの概要
図１は、実施形態に係る表示システム１を示す斜視図である。表示システム１は、いわゆるインタラクティブ機能を有するプロジェクションシステムである。図１に示すように、表示システム１は、表示装置１０と、指示体９０と、外部装置の一例であるＰＣ１００と、を含む。
【００１１】
図１に示す例では、表示装置１０は、ケーブル１０１および１０２を介してＰＣ１００に接続される。表示装置１０には、ＰＣ１００からケーブル１０１を介して画像情報ＤＳが入力される。なお、表示装置１０は、ＰＣ１００からケーブル１０２を介して画像情報ＤＳが入力されてもよい。表示装置１０に画像情報ＤＳを供給する外部装置は、ＰＣ１００に限定されず、例えば、ＤＶＤ（Digital Versatile Disk）プレイヤー等であってもよい。当該外部装置は、無線により表示装置１０と接続されてもよく、この場合、ケーブル１０１および１０２のうちの一方または両方を省略してもよい。
【００１２】
表示装置１０は、ＰＣ１００からの画像情報ＤＳに基づく画像ＧをスクリーンＳＣに表示可能である。画像Ｇは、例えば、ＰＣ１００の画面に表示される画像等である。なお、図１に示す例では、スクリーンＳＣの設置箇所は、例えば、壁であるが、これに限定されず、例えば、床またはテーブル等であってもよい。また、表示装置１０の設置箇所は、例えば、天井であるが、これに限定されず、天井に限定されず、壁、床、テーブル、専用設置台等であってもよい。
【００１３】
表示装置１０は、指示体９０が指示するスクリーンＳＣ上の位置の軌跡に基づく描画画像である画像ＧＤをスクリーンＳＣに表示する描画モードを実行可能である。ここで、表示装置１０は、指示体９０が指示するスクリーンＳＣ上の位置を検出し、当該位置に基づいて画像ＧＤを表示する。画像ＧＤは、前述の画像情報ＤＳに基づく画像Ｇを表示せずに単独で表示してもよいし、画像Ｇに重ねて表示してもよい。なお、表示装置１０は、前述の画像ＧをスクリーンＳＣに表示し、その状態で、指示体９０が指示するスクリーンＳＣ上の位置に従い、マウス等のポインティングデバイスと同様にＰＣ１００を操作してもよい。
【００１４】
指示体９０は、ペン型のデバイスである。指示体９０は、軸部９１と、軸部９１の先端に配置される先端ボタン９２と、を備える。先端ボタン９２は、スクリーンＳＣに押し付けられることでオンになるスイッチである。指示体９０の内部には、図示しない赤外線発光部が設けられており、当該赤外線発光部は、先端ボタン９２がオンとなることにより駆動する。当該赤外線発光部は、例えば、赤外ＬＥＤ（Light Emitting Diode）等の発光素子、発光制御回路、および電源を含んで構成される。当該赤外線発光部は、例えば、ＩｒＤＡ（Infrared Data Association）規格に準拠した方式により、周期的に赤外線を発光する。この発光は、表示装置１０で検出される。表示装置１０、指示体９０の発光位置に基づいて、指示体９０が指示するスクリーンＳＣ上の位置を検出する。なお、指示体９０の形状は、ペン型に限定されない。また、指示体９０は、人間の指等であってもよい。
【００１５】
表示装置１０は、描画モード時に、指示体９０の指示により表示装置１０に各種の機能を実行させるためのＧＵＩ（Graphical User Interface）用の画像であるツールバーＧＴをスクリーンＳＣに表示する。図１に例示されるツールバーＧＴは、取消ボタンＵＤＢと、ポインターボタンＰＴＢと、ペンボタンＰＥＢと、消しゴムボタンＥＲＢと、色選択ボタンＣＣＢと、を含む。取消ボタンＵＤＢは、１つ前の操作を取り消して元に戻すボタンである。ポインターボタンＰＴＢは、画像等の選択に用いるマウスポインターを表示させるためのボタンである。ペンボタンＰＥＢは、画像ＧＤの描画に用いるペンの種類を選択するためのボタンである。消しゴムボタンＥＲＢは、描画済みの画像ＧＤを消去する消しゴムツールを選択するためのボタンである。色選択ボタンＣＣＢは、画像ＧＤの描画に用いるペンの色を選択するためのボタンである。
【００１６】
なお、以下では、図１に示す形態のツールバーＧＴを用いる場合を例に説明するが、ツールバーＧＴの形態は、図１に示す形態に限定されない。また、表示装置１０は、前述の画像Ｇ、ＧＤおよびツールバーＧＴ以外の画像、例えば、表示装置１０に記憶される画像情報に基づく画像、または表示装置１０で生成する画像情報に基づく画像等をスクリーンＳＣに表示してもよい。また、表示装置１０の操作は、表示装置１０本体に配置される操作パネル７１、および図１中不図示のリモコンを用いて行うことも可能である。
【００１７】
表示装置１０は、例えば、前述のツールバーＧＴに対して所定の操作が行われると、画像ＧＤの属性の設定に用いるサンプル画像群ＧＳＧをスクリーンＳＣに表示する。サンプル画像群ＧＳＧは、互いに属性またはその設定の異なる複数のサンプル画像ＧＳからなる。このため、実際に属性の設定を変更して画像ＧＤを表示しなくても、画像ＧＤの複数の表示態様の見本をサンプル画像群ＧＳＧによりユーザーに提示できる。また、各サンプル画像ＧＳは、指示体９０による操作を受け付け可能である。ユーザーが複数のサンプル画像ＧＳから１のサンプル画像ＧＳを選択して操作することにより、当該１のサンプル画像ＧＳの属性の設定が画像ＧＤの属性の設定に反映される。ここで、当該１のサンプル画像ＧＳの属性は、互いに異なる第１属性および第２属性を含む。このため、１回の当該操作により、画像ＧＤの２つの属性を設定できる。
【００１８】
ここで、「属性」とは、人間の視覚により識別可能な性質または特徴を意味し、具体例としては、例えば、色、模様、文字、図形、記号等が挙げられる。また、「属性」は、共通する性質または特徴の分類に属する複数の種類を含む概念である。例えば、属性は、色である場合、赤、青、緑および黄色等の種類を含む概念である。「属性が異なる」とは、対比される２つの属性の分類が互いに異なることをいう。「属性の設定が異なる」とは、属性が異なること、または、同一属性において対比される２つの種類が互いに異なることをいう。
【００１９】
２．表示装置の構成
図２は、実施形態に係る表示装置１０の構成を示すブロック図である。表示装置１０は、図２に示すように、表示部２０、記憶部３０、画像処理部４０、Ｉ／Ｆ（Interface）部５０、検出部６０、操作部７０および制御部８０を有する。
【００２０】
表示部２０は、表示面であるスクリーンＳＣに画像Ｇを表示する。表示部２０は、光源２１、光変調装置２２、および投射光学系２３を有する。
【００２１】
光源２１は、例えば、ハロゲンランプ、キセノンランプ、超高圧水銀ランプ、ＬＥＤ（Light Emitting Diode）またはレーザー光源等を含んで構成される。光源２１は、例えば、赤色、緑色および青色の光をそれぞれ出射するか、または、白色の光を出射する。光源２１が白色の光を出射する場合、光源２１から出射される光は、図示しないインテグレーター光学系によって輝度分布のばらつきが低減され、その後、図示しない色分離光学系によって赤色、緑色および青色の光に分離されて光変調装置２２に入射する。光変調装置２２は、当該赤色、緑色および青色に対応して設けられる光変調素子２２Ｒ、２２Ｇおよび２２Ｂを含んで構成される。光変調素子２２Ｒ、２２Ｇおよび２２Ｂは、それぞれ、例えば、透過型の液晶パネル、反射型の液晶パネルまたはＤＭＤ（デジタルミラーデバイス）等を含んで構成される。光変調素子２２Ｒ、２２Ｇおよび２２Ｂは、当該赤色、緑色および青色の光をそれぞれ変調して各色の画像光を生成する。光変調装置２２で生成される各色の画像光は、図示しない色合成光学系によって合成され、フルカラーの画像光となる。投射光学系２３は、当該フルカラーの画像光をスクリーンＳＣ上に結像させて投射させる。投射光学系２３は、少なくとも１つの投射レンズを含む光学系であり、ズームレンズまたはフォーカスレンズ等を含んでもよい。
【００２２】
記憶部３０は、例えば、ハードディスクドライブまたは半導体メモリーから構成される。記憶部３０は、制御部８０が実行する制御プログラムＰ、および制御部８０が処理する属性履歴情報Ｄを含むデータを記憶する。なお、制御プログラムＰおよび属性履歴情報Ｄについては、後に詳述する。また、記憶部３０は、表示装置１０の外部の記憶装置あるいはサーバー等に設けてもよい。
【００２３】
画像処理部４０は、フレームメモリー４１を有し、Ｉ／Ｆ部５０からの画像情報ＤＳをフレームメモリー４１に展開して、解像度変換処理、リサイズ処理、歪み補正処理等の各種処理を適宜実行して表示部２０に入力する。ここで、画像処理部４０は、必要に応じて、制御部８０からの信号に基づく処理、例えば、画像ＧＤおよびツールバーＧＴ等を表示部２０に表示させるための処理等を実行する。
【００２４】
Ｉ／Ｆ部５０は、ＰＣ１００等の外部装置に接続可能なインターフェイスとして、入力部５１および通信部５２を備える。なお、Ｉ／Ｆ部５０は、表示装置１０本体と同一筐体に配置されてもよいし、表示装置１０本体の筐体とは別の筐体内に配置されてもよい。
【００２５】
入力部５１は、ＰＣ１００から画像情報ＤＳを入力可能である。具体的には、入力部５１は、例えば、Ｄ−ｓｕｂまたはＨＤＭＩインターフェイス等である。なお、入力部５１の数は、複数でもよく、この場合、規格は、同一であっても異なっていてもよい。入力部５１は、例えば、Ｗｉ−ＦｉまたはＢｌｕｅｔｏｏｔｈ等により外部装置に無線接続されてもよいし、ＬＡＮ（Local Area Network）またはインターネット等を介して外部装置に接続されてもよい。なお、ＨＤＭＩ、Ｗｉ−ＦｉおよびＢｌｕｅｔｏｏｔｈは、それぞれ、登録商標である。
【００２６】
通信部５２は、ＰＣ１００に通信可能に接続可能である。具体的には、通信部５２は、例えば、ＵＳＢ等のインターフェイスである。なお、通信部５２の数は、複数でもよく、この場合、規格は、互いに同一であっても異なっていてもよい。
【００２７】
検出部６０は、指示体９０が指示するスクリーンＳＣ上の位置を検出し、当該位置を示す位置情報ＰＳを生成する。検出部６０は、撮像部６１および位置情報生成部６２を有する。撮像部６１は、スクリーンＳＣを撮像する。撮像部６１は、例えば、ＣＣＤ（Charge Coupled Device）イメージセンサーまたはＣＭＯＳ（Complementary MOS）イメージセンサー等の撮像素子を含んで構成される。位置情報生成部６２は、指示体９０が指示するスクリーンＳＣ上の位置に関する位置情報ＰＳを生成する。具体的には、位置情報生成部６２は、撮像部６１の出力信号に基づいて、位置情報ＰＳを生成する。指示体９０の指示位置は、例えば、スクリーンＳＣ上に設定される座標系の座標で表され、位置情報ＰＳは、当該座標を示す情報を含む。なお、検出部６０は、指示体９０が指示するスクリーンＳＣ上の位置を検出することができればよく、前述のような撮像素子を用いる構成に限定されず、例えば、レーザー光源および受光素子を用いる構成でもよい。
【００２８】
操作部７０は、操作パネル７１およびリモコン受光部７２を有する。操作パネル７１は、表示装置１０の外装筐体に設けられ、ユーザーの操作を受け付け可能に構成される。操作パネル７１は、ユーザーの操作に基づく信号を出力する。リモコン受光部７２は、図示しないリモコンからの赤外線信号を受光し、当該赤外線信号をデコードして、当該リモコンの操作に基づく信号を出力する。
【００２９】
制御部８０は、表示装置１０の各部を制御する機能、および各種データを処理する機能を有する。制御部８０は、例えば、ＣＰＵ（Central Processing Unit）等を含んで構成される。制御部８０は、記憶部３０に記憶される制御プログラムＰを実行することによって、後述する機能部を含む各種機能を実現する。なお、制御部８０は、単一のプロセッサーで構成されてもよいし、複数のプロセッサーで構成されてもよい。また、制御部８０の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。
【００３０】
制御部８０は、機能部として、表示制御部８１と描画設定部８２とを有する。表示制御部８１は、表示部２０による表示に関する処理を実行する。より具体的には、例えば、表示制御部８１は、検出部６０の検出結果である位置情報ＰＳに基づく画像ＧＤを表示部２０に表示させたり、ＰＣ１００からの画像情報ＤＳに基づく画像Ｇを表示部２０に表示させたりする機能を有する。また、表示制御部８１は、画像ＧＤの属性の異なる複数の表示態様の見本としてサンプル画像群ＧＳＧを表示するサンプル機能を有する。ここで、表示制御部８１は、当該サンプル機能を使用するか否かの設定が可能である。描画設定部８２は、画像ＧＤの属性の設定に関する処理を実行する。より具体的には、例えば、描画設定部８２は、ツールバーＧＴまたはサンプル画像群ＧＳＧに対する操作に応じて、画像ＧＤに用いる属性の設定を決定したり、その設定の使用結果に関する情報を属性履歴情報Ｄとして記憶部３０に記憶させたりする。属性履歴情報Ｄは、画像ＧＤの属性に関する履歴情報であればよく、いかなる形式でもよい。
【００３１】
図３は、描画モード実行時における表示を例示する図である。描画モード実行時では、図３に示すように、指示体９０が指示するスクリーンＳＣ上の位置の軌跡に基づく描画画像である画像ＧＤが表示される。このとき、前述のように、ツールバーＧＴがスクリーンＳＣに表示される。
【００３２】
図４は、描画に用いる属性を例示する図である。表示装置１０は、画像ＧＤの属性として、図４に例示される属性ａ、ｂ、ｃおよびｄを設定可能である。属性ａ、ｂ、ｃおよびｄは、それぞれ、互いに異なる種類（１）から（５）を含む。
【００３３】
具体的には、属性ａは、色であり、互いに異なる色を種類（１）から（５）として含む。「色が異なる」とは、対比される２つの色において色相、彩度、明度のうちの１つまたは複数が互いに異なることをいう。図４では、図示の便宜上、色である属性ａの種類（１）から（５）を互いに濃淡の異なるグレースケールで示す。属性ｂは、太さであり、互いに異なる太さを種類（１）から（５）として含む。図４に示す属性ｂの例では、種類（１）から（５）の順に太さが太くなる。属性ｃは、線種であり、互いに異なる線種を種類（１）から（５）として含む。図４に示す属性ｃの例では、種類（１）は実線であり、種類（２）は点線であり、種類（３）は鎖線であり、種類（４）は一点鎖線であり、種類（５）は二点鎖線である。属性ｄは、図形であり、互いに異なる図形を種類（１）から（５）として含む。図４に示す属性ｄの例では、種類（１）は三角形であり、種類（２）は四角形であり、種類（３）は円形であり、種類（４）は台形であり、種類（５）は斜め十字形である。
【００３４】
なお、図４に示す属性およびその種類は、一例であり、画像ＧＤまたはサンプル画像ＧＳに用いる属性およびその種類は、図４に示す例に限定されない。
【００３５】
図５から図９は、サンプル表示を例示する図である。描画モード実行時では、ツールバーＧＴに対して所定の操作が行われると、例えば、図５に示すように、互いに属性の異なる複数のサンプル画像ＧＳからなるサンプル画像群ＧＳＧが表示される。なお、図５から図９に図示されるように、以下の説明では、スクリーンＳＣの左右方向または横方向をＸ方向と表記し、上下方向または縦方向をＹ方向と表記する。これらの図中右側がＸ方向の正側であり、左側がＸ方向の負側である。また、これらの図中上側がＹ方向の正側であり、下側がＹ方向の負側である。
【００３６】
図５では、各サンプル画像ＧＳが文字「Ａ」を示す画像であり、当該画像の属性として前述の属性ａおよびｂを用いる場合が例示される。ここで、属性ａおよびｂは、互いに異なる第１属性および第２属性の一例である。各サンプル画像ＧＳは、指示体９０による指示等によりユーザーからの操作を受け付け可能である。当該操作がなされると、当該操作により選択されるサンプル画像ＧＳの属性が画像ＧＤの属性として設定される。
【００３７】
図５に例示される複数のサンプル画像ＧＳは、Ｘ方向に並ぶ列ａ（１）、ａ（２）、ａ（３）、ａ（４）、ａ（５）、ａ（６）およびａ（７）とＹ方向に並ぶ行ｂ（１）、ｂ（２）、ｂ（３）およびｂ（４）とからなる行列状に並んで配置される。列ａ（１）、ａ（２）、ａ（３）、ａ（４）、ａ（５）、ａ（６）およびａ（７）では、前述の属性ａの種類が互いに異なる。例えば、列ａ（１）、ａ（２）、ａ（３）、ａ（４）、ａ（５）、ａ（６）およびａ（７）には、前述の図４に例示される属性ａの複数の種類が割り当てられる。この割り当ては、予め設定されてもよいし、属性履歴情報Ｄに基づいて設定されてもよい。一方、行ｂ（１）、ｂ（２）、ｂ（３）およびｂ（４）では、前述の属性ｂの種類が互いに異なる。例えば、行ｂ（１）、ｂ（２）、ｂ（３）およびｂ（４）には、前述の図４に例示される属性ｂの複数の種類が割り当てられる。この割り当ては、予め設定されてもよいし、属性履歴情報Ｄに基づいて設定されてもよい。
【００３８】
なお、サンプル画像群ＧＳＧを構成する複数のサンプル画像ＧＳの行および列のそれぞれの数は、図５に例示される数に限定されない。また、複数のサンプル画像ＧＳの配置は、図５に示す配置に限定されない。例えば、図５では、列ａ（１）、ａ（２）、ａ（３）、ａ（４）、ａ（５）、ａ（６）およびａ（７）の間隔が一定ではないが一定でもよい。また、行と列との属性の関係が図５に示す関係と逆でもよい。行または列の延びる方向がＸ方向またはＹ方向に対して傾斜してもよい。
【００３９】
複数のサンプル画像ＧＳは、属性ａおよびｂのそれぞれの設定が互いに異なる２つのサンプル画像ＧＳである第１画像ＧＳ１および第２画像ＧＳ２を含む。第１画像ＧＳ１は、複数のサンプル画像ＧＳのうち、任意の１つのサンプル画像ＧＳである。第２画像ＧＳ２は、複数のサンプル画像ＧＳのうち、属性ａおよびｂのそれぞれの種類が第１画像ＧＳ１とは異なる任意の１つのサンプル画像ＧＳである。なお、図５では、列ａ（１）および行ｂ（４）に属するサンプル画像ＧＳを第１画像ＧＳ１とし、列ａ（２）および行ｂ（３）に属するサンプル画像ＧＳを第２画像ＧＳ２とする場合が一例として示される。
【００４０】
また、複数のサンプル画像ＧＳは、属性ａまたはｂの設定が第１画像ＧＳ１および第２画像ＧＳ２とは異なり、かつ、属性ａおよびｂのそれぞれの設定が互いに異なる２つのサンプル画像ＧＳである第３画像ＧＳ３および第４画像ＧＳ４を含む。第３画像ＧＳ３は、複数のサンプル画像ＧＳのうち、属性ａまたはｂの設定が第１画像ＧＳ１および第２画像ＧＳ２と異なる任意の１つのサンプル画像ＧＳである。第４画像ＧＳ４は、複数のサンプル画像ＧＳのうち、属性ａまたはｂの設定が第１画像ＧＳ１および第２画像ＧＳ２とは異なり、かつ、属性ａおよびｂのそれぞれの種類が第３画像ＧＳ３とは異なる任意の１つのサンプル画像ＧＳである。なお、図５では、列ａ（２）および行ｂ（４）に属するサンプル画像ＧＳを第３画像ＧＳ３とし、列ａ（１）および行ｂ（３）に属するサンプル画像ＧＳを第４画像ＧＳ４とする場合が一例として示される。
【００４１】
図５では、前述のように、各サンプル画像ＧＳが文字「Ａ」を示す画像である場合が例示されるが、これに限定されず、各サンプル画像ＧＳは、例えば、図６に示すような線画でもよいし、図４に例示される属性ｄの図形でもよい。
【００４２】
サンプル画像群ＧＳＧは、前述の画像情報ＤＳに基づく画像Ｇを表示せずに単独で表示してもよいし、画像Ｇに重ねて表示してもよい。ただし、画像ＧＤを画像Ｇに重ねて表示する場合、サンプル画像群ＧＳＧも画像Ｇに重ねて表示することが好ましい。この場合、画像Ｇに重ねて表示する場合の画像ＧＤの見易さ等をサンプル画像群ＧＳＧによりユーザーに提示することができる。
【００４３】
図７に示すように、サンプル画像群ＧＳＧは、画像Ｇとは異なる背景画像ＧＢに重ねて表示してもよい。この場合、ユーザーにとって、サンプル画像群ＧＳＧの属性が見易くなるため、サンプル画像群ＧＳＧの設定等の確認または変更する際の判断がし易くなる。例えば、図８に示すように、画像Ｇに重ねて表示されるサンプル画像群ＧＳＧが見づらい場合、背景画像ＧＢを用いることは有用である。背景画像ＧＢは、特に限定されないが、サンプル画像群ＧＳＧの見易さに影響をできるだけ与え難い画像であることが好ましく、具体的には、例えば、白色等の均一な画像であることが好ましい。また、背景画像ＧＢは、例えば、ユーザーからの操作等により表示と非表示とを切り替えたり、表示期間をサンプル画像群ＧＳＧの表示開始直後のみに設定したりして適時表示すればよい。
【００４４】
１つまたは複数の行または列のサンプル画像ＧＳは、他の行または列のサンプル画像ＧＳと異なる形状の画像でもよい。図９に示す例では、１つの行のサンプル画像ＧＳの形状が他の行のサンプル画像ＧＳの形状と異なる。例えば、当該１つの行のサンプル画像ＧＳの属性を属性履歴情報Ｄに基づいて設定する。そうすると、当該１つの行のサンプル画像ＧＳの属性の設定と他の行のサンプル画像ＧＳの属性の設定との違いがユーザーにとってわかりやすいという利点がある。
【００４５】
図１０は、表示装置１０の描画モード実行時の動作の一例を示すフローチャートである。表示装置１０が描画モードの実行の指示を受けると、まず、制御部８０は、図１０に示すように、ステップＳ１１０において、描画モードを開始する。具体的には、ステップＳ１１０において、制御部８０は、ツールバーＧＴをメニューとして表示部２０に表示させ、検出部６０の検出結果に基づく画像ＧＤを表示可能な状態とする。
【００４６】
次に、ステップＳ１２０において、制御部８０は、メニューであるツールバーＧＴの表示を終了させる指示があるか否かを判断する。ステップＳ１２０においてメニューの表示を終了させる指示がない場合、制御部８０は、ステップＳ１３０において、前述のサンプル画像群ＧＳＧに関する機能であるサンプル機能が設定される状態であるか否かを判断する。ステップＳ１３０においてサンプル機能が設定される状態である場合、制御部８０は、ステップＳ１４０において、ツールバーＧＴに対して画像ＧＤの属性に関する操作があるか否かを判断する。
【００４７】
ステップＳ１４０において属性に関する操作がある場合、制御部８０は、前述のサンプル画像群ＧＳＧを表示部２０に表示させる。このとき、ツールバーＧＴに対する操作の種類に応じてサンプル画像群ＧＳＧに用いる属性の設定を決定する。例えば、ツールバーＧＴに対する操作が色に関する操作である場合、サンプル画像群ＧＳＧに用いる第１属性として色を設定する。この場合、サンプル画像群ＧＳＧに用いる第２属性は、色以外であればいかなる属性でもよいが、例えば、太さである。同様に、ツールバーＧＴに対する操作が線種に関する操作である場合、サンプル画像群ＧＳＧに用いる第１属性として線種を設定する。また、ツールバーＧＴに対する操作が図形に関する操作である場合、サンプル画像群ＧＳＧに用いる第１属性として図形を設定する。
【００４８】
その後、制御部８０は、ステップＳ１６０において、サンプル画像群ＧＳＧに対する操作による属性の選択があるか否かを判断する。ステップＳ１６０において属性の選択がない場合、前述のステップＳ１４０に戻る。一方、ステップＳ１６０において属性の選択がある場合、制御部８０は、ステップＳ１７０において、その選択に係る属性を画像ＧＤに用いる属性として決定する。このとき、制御部８０は、この決定結果を反映させて属性履歴情報Ｄを記憶部３０に記憶させる。
【００４９】
その後、制御部８０は、ステップＳ１８０に移行する。また、前述のステップＳ１２０においてメニューの表示を終了させる指示がある場合、前述のステップＳ１３０においてサンプル機能が設定される状態である場合、または、前述のステップＳ１４０において属性に関する操作がある場合も、制御部８０は、ステップＳ１８０に移行する。制御部８０は、ステップＳ１８０において、描画モードを終了させる指示があるか否かを判断し、当該指示がない場合、前述のステップＳ１２０に戻り、一方、当該指示がある場合、終了する。
【００５０】
以上の表示システム１または表示装置１０は、前述のように、表示面であるスクリーンＳＣに画像Ｇを表示する表示部２０と、指示体９０が指示するスクリーンＳＣ上の位置を検出する検出部６０と、検出部６０の検出位置に基づく画像ＧＤを表示部２０に表示させる制御部８０と、を有する。制御部８０は、第１画像ＧＳ１と、第１属性および第２属性の設定が第１画像ＧＳ１と異なる第２画像ＧＳ２とを表示部２０に表示させる。そして、制御部８０は、第１画像ＧＳ１または第２画像ＧＳ２に対する操作に応じて、検出部６０の検出位置に基づく画像ＧＤに用いる第１属性および第２属性の設定を決定する。
【００５１】
また、表示装置１０の制御方法は、第１画像ＧＳ１と、第１属性および第２属性の設定が第１画像ＧＳ１と異なる第２画像ＧＳ２とを表示部２０に表示させ、第１画像ＧＳ１または第２画像ＧＳ２に対する操作に応じて、検出部６０の検出位置に基づく画像ＧＤに用いる第１属性および第２属性の設定を決定する。
【００５２】
このような表示システム１、表示装置１０またはその制御方法によれば、検出部６０の検出位置に基づく画像ＧＤに用いる第１属性および第２属性の設定を第１画像ＧＳ１または第２画像ＧＳ２に対する一度の操作で決定することができる。この結果、当該操作のための画像に割り当てられる属性の数が１つの画像につき１つである場合に比べて、当該操作の数が少なくて済むため、ユーザーの操作負担を低減することができる。ここで、第１画像ＧＳ１および第２画像ＧＳ２を表示することにより、画像ＧＤの属性の設定を実際に変更しなくても、第１属性および第２属性の設定の違いによる画像ＧＤの見易さ等をユーザーに同時に提示することができる。この提示を経て、画像ＧＤに用いる第１属性および第２属性の設定が決定されるため、画像ＧＤに関してユーザーの希望に沿う属性の設定が可能となる。
【００５３】
第１画像ＧＳ１および第２画像ＧＳ２に用いる第１属性または第２属性は、色、太さまたは線種、例えば、前述の属性ａ、ｂまたはｃであることが好ましい。色、太さまたは線種は、描画に適することから、画像ＧＤに用いる属性に好適である。また、色、太さまたは線種は、画像ＧＤの見易さ等に影響を与えやすい。このため、第１属性または第２属性が色、太さまたは線種である場合、画像ＧＤの見易さ等を調整しやすいという利点がある。
【００５４】
また、第１属性は、色であり、かつ、第２属性は、太さであることが好ましい。色および太さは、線種等の他の属性に比べて、画像ＧＤの見易さ等の異なる種類の数を多くしやすい。このため、第１属性が色であり、かつ、第２属性が太さである場合、他の属性を用いる場合に比べて、画像ＧＤの見易さ等の調整の幅を大きくすることができる。この結果、例えば、画像Ｇに重ねて画像ＧＤを表示する場合、画像Ｇの様々な態様に対して画像ＧＤの属性の適切な設定が可能となる。
【００５５】
また、第１属性は、形状であり、かつ、第２属性は、色、太さまたは線種であることが好ましい。この場合、ユーザーが描画する形状に応じた第１画像ＧＳ１および第２画像ＧＳ２を色、太さまたは線種の属性の設定を異ならせて表示可能である。
【００５６】
本実施形態では、制御部８０は、外部装置の一例であるＰＣ１００からの画像情報ＤＳに基づく画像Ｇに重ねて第１画像ＧＳ１および第２画像ＧＳ２を表示部２０に表示させる。画像ＧＤを画像Ｇに重ねて表示する場合、画像Ｇの態様によっては、画像ＧＤが見づらくなることがある。したがって、第１画像ＧＳ１および第２画像ＧＳ２を画像Ｇに重ねて表示することは、画像ＧＤを画像Ｇに重ねて表示する場合に有用である。
【００５７】
また、表示装置１０は、検出部６０の検出位置に基づく画像ＧＤの属性に関する履歴情報である属性履歴情報Ｄを記憶する記憶部３０を有する。制御部８０は、属性履歴情報Ｄに基づいて、第１画像ＧＳ１または第２画像ＧＳ２に用いる第１属性または第２属性の設定を決定する。このため、ユーザーが使用する可能性の高い属性の設定を用いて第１画像ＧＳ１および第２画像ＧＳ２を表示することができる。このため、属性履歴情報Ｄを用いずに第１画像ＧＳ１および第２画像ＧＳ２の属性を設定する場合に比べて、第１画像ＧＳ１および第２画像ＧＳ２に用いる属性の設定を変更するための他の操作を低減することができる。
【００５８】
また、制御部８０は、検出部６０の検出位置に基づく画像ＧＤの表示に関する操作を受け付け可能な操作画像であるツールバーＧＴを表示部２０に表示させる。そして、制御部８０は、ツールバーＧＴに対する操作、より具体的にはペンボタンＰＥＢまたは色選択ボタンＣＣＢに対する操作に基づいて、第１画像ＧＳ１および第２画像ＧＳ２を表示部２０に表示させる。このため、検出部６０の検出位置に基づく画像ＧＤの表示に関する操作に伴って、必要時に、第１画像ＧＳ１および第２画像ＧＳ２を自動的に表示することができる。ここで、必要時とは、具体的には、例えば、ペンボタンＰＥＢまたは色選択ボタンＣＣＢに対する操作を行って、画像ＧＤの描画を開始しようとしたり、画像ＧＤに用いる属性を変更しようとしたりするときである。
【００５９】
本実施形態では、制御部８０は、第３画像ＧＳ３および第４画像ＧＳ４を表示部２０に表示させる。ここで、第３画像ＧＳ３は、第１属性および第２属性の一方または両方の設定が第１画像ＧＳ１および第２画像ＧＳ２のいずれとも異なる。第４画像ＧＳ４は、第１属性および第２属性の一方または両方の設定が第１画像ＧＳ１、第２画像ＧＳ２および第３画像ＧＳ３のいずれとも異なる。そして、制御部８０は、第３画像ＧＳ３または第４画像ＧＳ４に対する操作に応じて、検出部６０の検出位置に基づく画像ＧＤに用いる第１属性および第２属性の設定を決定する。以上の構成によれば、第３画像ＧＳ３および第４画像ＧＳ４を表示しない場合に比べて、画像ＧＤの見本として提示される表示態様の数が多くなるため、ユーザーが画像ＧＤに関して希望に沿う属性の判断がしやすくなる。
【００６０】
ここで、第３画像ＧＳ３の第１属性の設定が第２画像ＧＳ２と同じであることが好ましい。この場合、第２画像ＧＳ２と第３画像ＧＳ３とを見比べることにより、第２属性の設定の違いによる画像ＧＤの見易さを評価しやすい。同様に、第４画像ＧＳ４の第１属性の設定が第１画像ＧＳ１と同じであることが好ましい。この場合、第１画像ＧＳ１と第４画像ＧＳ４とを見比べることにより、第２属性の設定の違いによる画像ＧＤの見易さを評価しやすい。また、第３画像ＧＳ３の第２属性の設定が第１画像ＧＳ１と同じであることが好ましい。この場合、第１画像ＧＳ１と第３画像ＳＧ３とを見比べることにより、第１属性の設定の違いによる画像ＧＤの見易さを評価しやすい。また、第４画像ＧＳ４の第２属性の設定が第２画像ＧＳ２と同じであることが好ましい。この場合、第２画像ＧＳ２と第４画像ＧＳ４とを見比べることにより、第１属性の設定の違いによる画像ＧＤの見易さを評価しやすい。
【００６１】
また、第１画像ＧＳ１、第２画像ＧＳ２、第３画像ＧＳ３および第４画像ＧＳ４は、スクリーンＳＣに並んで配置される。ここで、第１画像ＧＳ１および第３画像ＧＳ３は、第２画像ＧＳ２および第４画像ＧＳ４が並ぶ方向に沿って並んで配置されることが好ましい。この場合、第１属性の設定の違いによる画像ＧＤの見易さを評価する際、第１画像ＧＳ１と第３画像ＧＳ３とを見比べたり、第２画像ＧＳ２と第４画像ＧＳ４とを見比べたりするのが容易である。
【００６２】
３．変形例
以上、本発明の表示装置および表示システムについて図示の実施形態に基づいて説明したが、本発明は、これらに限定されない。また、本発明の各部の構成は、前述の実施形態の同様の機能を発揮する任意の構成に置換することができ、また、任意の構成を付加することもできる。また、本発明は、前述の各実施形態の任意の構成同士を組み合わせるようにしてもよい。
【００６３】
前述の実施形態では、ペンボタンＰＥＢまたは色選択ボタンＣＣＢに対する操作を契機としてサンプル画像群ＧＳＧを表示する構成が例示されるが、当該構成に限定されない。サンプル画像群ＧＳＧの表示は、例えば、ツールバーＧＴ内の他のボタンまたはツールバーＧＴ以外のボタンに対する操作を契機として行ってもよいし、描画モードの実行開始を契機として行ってもよい。
【００６４】
また、前述の実施形態では、表示装置１０がプロジェクターである場合が例示されるが、本発明の表示装置は、プロジェクターに限定されず、例えば、タッチパネル式の表示装置であってもよい。
【符号の説明】
【００６５】
１…表示システム、１０…表示装置、２０…表示部、３０…記憶部、６０…検出部、８０…制御部、９０…指示体、ＣＣＢ…色選択ボタン、Ｄ…属性履歴情報、ＤＳ…画像情報、Ｇ…画像、ＧＤ…画像、ＧＳ…サンプル画像、ＧＳ１…第１画像、ＧＳ２…第２画像、ＧＳ３…第３画像、ＧＳ４…第４画像、ＧＴ…ツールバー、ＰＥＢ…ペンボタン、ＳＣ…スクリーン、ＳＧ３…第３画像、ＳＧ４…第４画像、ａ…属性、ｂ…属性、ｃ…属性、ｄ…属性。
【図１】
2020067908.tif 000003
【図２】
2020067908.tif 000004
【図３】
2020067908.tif 000005
【図４】
2020067908.tif 000006
【図５】
2020067908.tif 000007
【図６】
2020067908.tif 000008
【図７】
2020067908.tif 000009
【図８】
2020067908.tif 000010
【図９】
2020067908.tif 000011
【図１０】
2020067908.tif 000012
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
表示面に画像を表示する表示部と、
指示体が指示する前記表示面上の位置を検出する検出部と、
前記検出部の検出位置に基づく画像を前記表示部に表示させる制御部と、を有し、
前記制御部は、
第１画像と、第１属性および第２属性の設定が前記第１画像と異なる第２画像とを前記表示部に表示させ、
前記第１画像または前記第２画像に対する操作に応じて、前記検出部の検出位置に基づく画像に用いる前記第１属性および前記第２属性の設定を決定する、
表示装置。
【請求項２】
前記第１属性または前記第２属性は、色、太さまたは線種である、
請求項１に記載の表示装置。
【請求項３】
前記第１属性は、色であり、
前記第２属性は、太さである、
請求項２に記載の表示装置。
【請求項４】
前記第１属性は、形状であり、
前記第２属性は、色、太さまたは線種である、
請求項２に記載の表示装置。
【請求項５】
前記制御部は、外部装置からの画像情報に基づく画像に重ねて前記第１画像および前記第２画像を前記表示部に表示させる、
請求項１ないし４のいずれか１項に記載の表示装置。
【請求項６】
前記検出部の検出位置に基づく画像の属性に関する履歴情報を記憶する記憶部を有し、
前記制御部は、前記履歴情報に基づいて、前記第１画像または前記第２画像に用いる前記第１属性または前記第２属性の設定を決定する、
請求項１ないし５のいずれか１項に記載の表示装置。
【請求項７】
前記制御部は、
前記検出部の検出位置に基づく画像の表示に関する操作を受け付け可能な操作画像を前記表示部に表示させ、
前記操作画像に対する操作に基づいて、前記第１画像および前記第２画像を前記表示部に表示させる、
請求項１ないし６のいずれか１項に記載の表示装置。
【請求項８】
前記制御部は、
前記第１属性および前記第２属性の一方または両方の設定が前記第１画像および前記第２画像のいずれとも異なる第３画像と、前記第１属性および前記第２属性の一方または両方の設定が前記第１画像、前記第２画像および前記第３画像のいずれとも異なる第４画像とを前記表示部に表示させ、
前記第３画像または前記第４画像に対する操作に応じて、前記検出部の検出位置に基づく画像に用いる前記第１属性および前記第２属性の設定を決定する、
請求項１ないし７のいずれか１項に記載の表示装置。
【請求項９】
前記第３画像の前記第１属性の設定が前記第２画像と同じであり、
前記第３画像の前記第２属性の設定が前記第１画像と同じであり、
前記第４画像の前記第１属性の設定が前記第１画像と同じであり、
前記第４画像の前記第２属性の設定が前記第２画像と同じである、
請求項８に記載の表示装置。
【請求項１０】
前記第１画像、前記第２画像、前記第３画像および前記第４画像は、前記表示面に並んで配置され、
前記第１画像および前記第３画像は、前記第２画像および前記第４画像が並ぶ方向に沿って並んで配置される、
請求項８に記載の表示装置。
【請求項１１】
表示面に画像を表示する表示部と、指示体が指示する前記表示面上の位置を検出する検出部と、を有し、前記検出部の検出位置に基づく画像を前記表示部に表示させる表示装置の制御方法であって、
第１画像と、第１属性および第２属性の設定が前記第１画像と異なる第２画像とを前記表示部に表示させ、
前記第１画像または前記第２画像に対する操作に応じて、前記検出部の検出位置に基づく画像に用いる前記第１属性および前記第２属性の設定を決定する、
表示装置の制御方法。
【請求項１２】
表示面に画像を表示する表示部と、
指示体が指示する前記表示面上の位置を検出する検出部と、
前記検出部の検出位置に基づく画像を前記表示部に表示させる制御部と、を有し、
前記制御部は、
第１画像と、第１属性および第２属性の設定が前記第１画像と異なる第２画像とを前記表示部に表示させ、
前記第１画像または前記第２画像に対する操作に応じて、前記検出部の検出位置に基づく画像に用いる前記第１属性および前記第２属性の設定を決定する、
表示システム。
【手続補正２】
【補正対象書類名】明細書
【補正対象項目名】００１４
【補正方法】変更
【補正の内容】
【００１４】
指示体９０は、ペン型のデバイスである。指示体９０は、軸部９１と、軸部９１の先端に配置される先端ボタン９２と、を備える。先端ボタン９２は、スクリーンＳＣに押し付けられることでオンになるスイッチである。指示体９０の内部には、図示しない赤外線発光部が設けられており、当該赤外線発光部は、先端ボタン９２がオンとなることにより駆動する。当該赤外線発光部は、例えば、赤外ＬＥＤ（Light Emitting Diode）等の発光素子、発光制御回路、および電源を含んで構成される。当該赤外線発光部は、例えば、ＩｒＤＡ（Infrared Data Association）規格に準拠した方式により、周期的に赤外線を発光する。この発光は、表示装置１０で検出される。表示装置１０は、指示体９０の発光位置に基づいて、指示体９０が指示するスクリーンＳＣ上の位置を検出する。なお、指示体９０の形状は、ペン型に限定されない。また、指示体９０は、人間の指等であってもよい。
【手続補正３】
【補正対象書類名】明細書
【補正対象項目名】００４９
【補正方法】変更
【補正の内容】
【００４９】
その後、制御部８０は、ステップＳ１８０に移行する。また、前述のステップＳ１２０においてメニューの表示を終了させる指示がある場合、前述のステップＳ１３０においてサンプル機能が設定される状態でない場合、または、前述のステップＳ１４０において属性に関する操作がない場合も、制御部８０は、ステップＳ１８０に移行する。制御部８０は、ステップＳ１８０において、描画モードを終了させる指示があるか否かを判断し、当該指示がない場合、前述のステップＳ１２０に戻り、一方、当該指示がある場合、終了する。